(57)【要約】【課題】  製造容易であって、安価かつ、カラー表示可能な電気光学装置、電気光学装置用基板およびそれを用いた電子機器を提供する。【解決手段】  第１基板と、第２基板と、が対向してなる電気光学装置、電気光学装置用基板および電子機器であって、第１基板側に画像表示をするための第１表示部と、第２基板側に別の画像表示をするための第２表示部とを有し、第１基板および第２基板のいずれか一方に、第１表示部と第２表示部にそれぞれ対応するようにカラーフィルタが設けられている。【選択図】  図４
2005107242.tif 000002
【特許請求の範囲】
【請求項１】
第１基板および第２基板が対向してなる液晶パネルを備えた電気光学装置であって、
第１基板側に画像表示するための第１表示部と、第２基板側に別の画像表示をする第２表示部とを有し、
前記第１基板に、前記第１表示部および第２表示部にそれぞれ対応するようにカラーフィルタを設けることを特徴とする電気光学装置。
【請求項２】
前記第２基板に、前記第１表示部において入射した光を反射して表示を行うための第１反射膜を設けることを特徴とする請求項１に記載の電気光学装置。
【請求項３】
前記第１基板に、前記第２表示部において入射した光を反射して表示を行うための第２反射膜を設けることを特徴とする請求項１または２に記載の電気光学装置。
【請求項４】
前記第１反射膜および第２反射膜は、それぞれに入射された光の一部を透過可能であることを特徴とする請求項３に記載の電気光学装置用装置。
【請求項５】
前記第１基板における隣接する画素間に対応する位置において、前記第１表示部に対応して、前記第２反射膜を設けることを特徴とする請求項３または４に記載の電気光学装置。
【請求項６】
前記第２反射膜と、前記第１基板に設けた透明電極とを、鉛直方向に透視した場合に、平面的に重ならないことを特徴とする請求項５に記載の電気光学装置。
【請求項７】
前記第２基板において、前記第１反射膜に平面的に重なる透明電極を設けることを特徴とする請求項２〜６のいずれか一項に記載の電気光学装置。
【請求項８】
前記第１の反射膜を銀合金から構成し、前記第２基板に設けた透明電極を、酸化インジウムスズ化合物（ＩＴＯ）から構成することを特徴とする請求項７に記載の電気光学装置。
【請求項９】
前記第１表示部および第２表示部に、それぞれバックライトを備えることを特徴とする請求項１〜８のいずれか一項に記載の電気光学装置。
【請求項１０】
対向する第１部材と、第２部材とを備えてなる電気光学装置であって、
前記第１部材は、第１基板と第２基板が対向してなる電気光学パネルを有しており、
前記電気光学装置を構成する基板は、第１基板の側に画像表示する第１表示部と、第２基板の側に画像表示する第２表示部とを有しており、
前記第１基板および第２基板の少なくともいずれか一方に、カラーフィルタを設け、
前記第１部材は、第１光源および第２光源を有しており、
前記第１表示部は、前記第１光源から照明されることにより透過表示を行い、かつ、前記第２表示部は、前記第２光源から照明されることにより透過表示を行うことを特徴とする電気光学装置。
【請求項１１】
前記第２光源は、前記第１部材から突出してなり、前記第２部材は、前記第２光源を収容する収容部を有することを特徴とする請求項１０に記載の電気光学装置。
【請求項１２】
第１表示部と、第２表示部とを構成する共通の基板を有する電気光学装置用基板であって、
前記基板上に、前記第１表示部と前記第２表示部にそれぞれ対応するようにカラーフィルタを設けることを特徴とする電気光学装置用基板。
【請求項１３】
請求項１〜１１のいずれか一項に記載された電気光学装置を備えることを特徴とする電子機器。
【発明の詳細な説明】
【技術分野】
【０００１】
本発明は、複数表示が可能な電気光学装置、電気光学装置用基板および電子機器に関する。特に、第１表示部および第２表示部においても、それぞれ半透過反射型のカラー表示が出来るため、見やすい表示が達成可能であり、さらには、電気光学装置を構成する一方の基板にのみにカラーフィルタを形成することにより、コストダウンが可能な電気光学装置、電気光学装置用基板および電子機器に関する。
【背景技術】
【０００２】
携帯電話等の普及に伴い、両面表示が可能な電気光学装置（液晶表示装置等）およびそれを用いた電子機器が各種提案されている。
例えば、低消費電力でありながら、見やすい表示等が可能な両面表示型液晶表示装置が提案されている。より具体的には、図１５に示すように、表裏両面に観測面（画像表示部）を設けた液晶表示装置２１０であって、導光板２３１が、フロントライト機能を有する領域２３１ａと、バックライト機能を有する領域２３１ｂと、を有し、反射型表示領域２４１ａと、フロントライト機能を有する領域２３１ａとが重なるとともに、透過型表示領域２４１ｂと、バックライト機能を有する領域２３１ｂと、が重なるように、導光板２３１と、液晶パネル２４１と、を積層した両面表示型液晶表示装置２１０が開示されている（例えば、特許文献１参照）。
【０００３】
また、簡易な構成により、液晶パネルの全面を用いた画像表示を両面で行うことができる液晶表示装置が提案されている。より具体的には、図１６に示すように、表裏両面に観測面（画像表示部）を設けた液晶表示装置２７０であって、第１基板２７１の外側においては、バックライト機能としての照明装置２８２より発した光であって、液晶層２７３および透明電極２７４を透過した透過光によって透過表示を行い、第２の基板２７２の外側においては、フロントライト機能としての照明装置２８２より発した光であって、反射電極２７５を反射した反射光によって反射表示を行う液晶表示装置２７０が提案されている（例えば、特許文献２参照）。
【０００４】
【特許文献１】特開２００３−９８５４５号公報  （特許請求の範囲）
【特許文献２】特開２００２−３５７８２５号公報  （特許請求の範囲）
【発明の開示】
【発明が解決しようとする課題】
【０００５】
しかしながら、特許文献１および特許文献２に開示された両面表示型の液晶表示装置は、いずれも背面表示の際には、液晶パネルの前面に、光源の一部としての導光板が配置してあるフロントライト方式を採用していた。したがって、背面表示面に表示される画像や情報が見難くなるという問題が見られた。特に、カラー表示の場合には、背面表示面に表示される画像や情報が見難くなるという問題が多く見られた。
【０００６】
そこで、本発明の発明者らは鋭意検討した結果、折り畳み式携帯電話等の両面表示が可能な電気光学装置において、半透過反射表示が可能な第１表示部および第２表示部をそれぞれ備えるとともに、特定箇所にカラーフィルタを配置することにより、鮮明なカラー画像表示ができることを見出し、本発明を完成させたものである。
すなわち、本発明の目的は、主表示面においても、背面表示面においても、半透過反射型のカラー表示が出来るため見やすい表示が達成可能となり、さらに一方の基板のみにカラーフィルタを形成することにより、コストダウンが可能な電気光学装置、電気光学装置用基板およびそれを用いた電子機器を提供することにある。
【課題を解決するための手段】
【０００７】
本発明によれば、第１基板と、第２基板と、が対向してなる電気光学装置であって、第１基板側に画像表示するための第１表示部と、第２基板側に画像表示するための第２表示部とを有し、第１基板に、第１表示部と第２表示部にそれぞれ対応するようにカラーフィルタが設けられた電気光学装置が提供され、上述した問題点を解決することができる。
すなわち、対向する第１基板と第２基板との間に電気光学材料を挟み込み、その電気光学材料を利用して、第１基板側に所定の画像表示をするための第１表示部を設けるとともに、第２基板側に別の画像表示をする第２表示部を設けた電気光学装置において、第１基板および第２基板のいずれか一方の基板に、第１表示部に対応したカラーフィルタと、第２表示部に対応したカラーフィルタと、を設けた複数表示（両面表示）が可能な電気光学装置が提供される。
【０００８】
また、本発明の電気光学装置を構成するにあたり、第２基板に、第１表示部において入射した光を反射して表示を行うための第１反射膜を設けることが好ましい。
【０００９】
また、本発明の電気光学装置を構成するにあたり、第１基板に、第２表示部において入射した光を反射して表示を行うための第２反射膜を設けることが好ましい。
【００１０】
また、本発明の電気光学装置を構成するにあたり、第１反射膜および第２反射膜は、それぞれ入射される光の一部を透過可能であることが好ましい。
【００１１】
また、本発明の電気光学装置を構成するにあたり、第２基板の隣接する画素間に対応する位置において、第１表示部に対応して、第２反射膜を設けることが好ましい。
【００１２】
また、本発明の電気光学装置を構成するにあたり、第２反射膜と、第１基板に設けた透明電極とを、鉛直方向に透視した場合に、平面的に重ならないことが好ましい。
【００１３】
また、本発明の電気光学装置を構成するにあたり、前記第２基板において、前記第１反射膜に平面的に重なる透明電極を設けることが好ましい。
【００１４】
また、本発明の電気光学装置を構成するにあたり、第１の反射膜を銀合金から構成し、第２基板に設けた透明電極を、酸化インジウムスズ化合物（ＩＴＯ）から構成することが好ましい。
【００１５】
また、本発明の電気光学装置を構成するにあたり、第１表示部および第２表示部に、それぞれバックライトを備えることが好ましい。
【００１６】
また、本発明の別の態様は、対向する第１部材と第２部材とを備えてなる電気光学装置であって、第１部材は、第１基板と第２基板が対向してなる電気光学パネルを有しており、電気光学装置を構成する基板は、第１基板の側に画像表示する第１表示部と、第２基板の側に画像表示する第２表示部とを有しており、第１基板および第２基板の少なくともいずれか一方に、カラーフィルタを設け、第１部材は、第１光源および第２光源を有しており、第１表示部は、第１光源から照明されることにより透過表示を行い、かつ、第２表示部は、第２光源から照明されることにより透過表示を行うことを特徴とする電気光学装置である。
【００１７】
また、本発明の別の電気光学装置を構成するにあたり、第２光源は、第１部材から突出してなり、第２部材は、第２光源を収容する収容部を有していることが好ましい。
【００１８】
また、本発明のさらに別の態様は、第１表示部と、第２表示部とを備える共通の基板を含む電気光学装置用基板であって、当該共通の基板上に、第１表示部および第２表示部にそれぞれ対応するようにカラーフィルタを設けた電気光学装置用基板である。
【００１９】
また、本発明の別の態様は、上述したいずれかの電気光学装置を備えた電子機器である。
【発明の効果】
【００２０】
本発明の電気光学装置によれば、半透過反射表示が可能な第１表示部および第２表示部がそれぞれ設けてあり、かつ、カラーフィルタを所定箇所に設けてあることから、第１表示部および第２表示部において、それぞれカラー表示が可能になるとともに、カラーフィルタの製造が容易になって、電気光学装置の製造コストを安価にすることができる。
【００２１】
また、本発明の電気光学装置によれば、第１表示部に対応して、第２基板に第２反射膜が設けられていることから、第１表示部において、カラー反射表示を実施することができる。
【００２２】
また、本発明の電気光学装置によれば、第２表示部に対応して、第１基板に第２反射膜が設けられていることから、第２表示部において、カラー反射表示を実施することができる。
【００２３】
また、本発明の電気光学装置によれば、第１反射膜および第２反射膜は、それぞれ半透過であることから、第１表示部および第２表示部において、所定のカラー表示を行うことができる。
【００２４】
また、本発明の電気光学装置を構成するにあたり、第１表示部に対応して、第２基板の所定箇所に第１反射膜が設けられていることから、効率的かつコントラストに優れたカラー反射表示を実施することができる。
【００２５】
また、本発明の電気光学装置を構成するにあたり、第２表示部に対応して、第１基板の所定箇所に第２反射膜が設けられていることから、第２表示部において、効率的かつコントラストに優れたカラー反射表示を実施することができる。
【００２６】
また、本発明の電気光学装置を構成するにあたり、第２基板において、第１反射膜が、透明電極上に設けられていることから、第１の反射膜が、透明電極の一部を構成し、透明電極を含む電気抵抗を低下させ、発熱や消費電力を抑制することができる。
なお、実質的に同様の効果が得られることから、透明電極の一部が、第１の反射膜を形成する構成であっても良い。
【００２７】
また、本発明の電気光学装置を構成するにあたり、第１の反射膜を銀合金から構成し、透明電極を、酸化インジウムスズ化合物（ＩＴＯ）から構成してあることから、画面表示が明るくなるばかりか、透明電極の接触抵抗を効果的に低下させることができる。また、銀合金からなる第１の反射膜であれば、ＩＴＯをエッチングしてパターン化する際に、エッチング液により、腐食されることがなく、反射部を精度良く形成することができる。
【００２８】
また、本発明の電気光学装置を構成するにあたり、第１表示部および第２表示部は、それぞれバックライトを備えていることから、第１表示部および第２表示部ともバックライト方式を容易に採用することができる。
【００２９】
また、本発明の別の態様によれば、所定箇所に第１表示部および第２表示部用のカラーフィルタおよび光源が設けてあることから、それぞれバックライト方式を容易に採用することができる。したがって、光源の影響を排除して、それぞれ鮮明なカラー画像を認識することができる。
また、第１表示部および第２表示部において、カラーフィルタの構成が異なる場合があるが、同一基板上に設けた実質的に共通のカラーフィルタを用いていることにより、薄型化に寄与するとともに、カラーフィルタの形成が容易になって、電気光学装置の製造におけるコストダウンを図ることができる。
【００３０】
また、本発明の別の電気光学装置を構成するにあたり、第２光源が、第１部材の所定位置に配置されるとともに、第２部材において、第２光源の収容部を有していることから、薄型の電気光学装置を提供することができる。
【００３１】
また、本発明のさらに別の態様によれば、第１表示部と、第２表示部とを備える共通の基板を含む電気光学装置用基板であって、当該共通の基板上に、第１表示部および第２表示部にそれぞれ対応するようにカラーフィルタが設けられていることから、電気光学装置に組み込むことにより、第１表示部および第２表示部において、それぞれバックライト方式を容易に採用し、所定のカラー表示を容易に実施することができる。
【００３２】
また、本発明の電子機器によれば、半透過反射表示可能な第１表示部および第２表示部を備えるとともに、特定箇所にそれぞれ専用の光源を配置することにより、当該光源が表示情報の認識を妨げることが少なくなり、鮮明なカラー画像が認識可能である。
【発明を実施するための最良の形態】
【００３３】
以下、図面を参照して、本発明の電気光学装置、電気光学装置用基板および電気光学装置を含む電子機器に関する実施形態について具体的に説明する。
ただし、かかる実施形態は、本発明の一態様を示すものであり、この発明を限定するものではなく、本発明の範囲内で任意に変更することが可能である。
【００３４】
［第１実施形態］
第１実施形態は、図４、図６、図９、図１０および図１１に示すように、対向する第１基板４３と、第２基板５５との間に電気光学材料（液晶）４９を挟み込み、当該第１基板４３側に画像表示するための第１表示部１６が設けてあるとともに、第２基板５５側に画像表示するための第２表示部１８が設けてある電気光学装置１０において、第２基板５５の内面に、第２表示部用の反射膜として、第１の反射膜５４が設けてあり、第１基板４３の内面に、第２表示部用の反射膜として、第２の反射膜４４が設けてあり、かつ、第１基板４３および第２基板５５のいずれか一方の内面に、カラーフィルタ４５が設けてあることを特徴とする電気光学装置２００である。
以下、図１〜図１２を適宜参照して、第１実施形態の電気光学装置およびその変形例について、電気光学装置としての液晶パネル２００を備えた電子機器としての折り畳み式携帯電話を例に採って説明する。
【００３５】
まず、図１を参照して、電気光学装置としての液晶パネル２００の概略構造を説明する。図１は、第１実施形態の電気光学装置としての液晶パネル２００の斜視図であり、ガラス板や合成樹脂板等からなる透明な第１基板４３を基体とするカラーフィルタ基板１００と、これに対向して、実質的に同様の構成を有する第２基板５５を基体とする対向基板１１０とが、接着剤等のシール材５９を介して貼り合わせられていることを示している。
そして、カラーフィルタ基板１００と、対向基板１１０と、が形成する空間であって、シール材５９の内側部分に、液晶（図示せず）４９を注入した後、シール材５９にて封止されてなるセル構造を、液晶パネル２００の主構成要素として備えていることが好ましい。
すなわち、このように液晶パネル２００を構成することにより、薄型の液晶パネル２００を提供することができる。
なお、液晶パネル２００には、バックライト等の光源を基本的に含まない電気光学装置と定義されるが、本発明の説明においては、説明の便宜上、バックライト等の光源を含んだ状態であっても、液晶パネルまたは電気光学装置と称する場合がある。
【００３６】
また、カラーフィルタ基板１００において、並列した複数のストライプ状である上側透明電極５１を形成するとともに、対向基板１１０における第２基板５５の内面上には、上側透明電極５１に直交する方向に並列させた複数のストライプ状の透明電極（下側電極）５２を形成することが好ましい。そして、カラーフィルタ基板１００における透明電極（上側電極）５１と、対向基板１１０における透明電極（下側電極）５２と、は相互に直交するため、その交差領域がマトリクス状に配列された多数の画素を構成し、これら多数の画素の配列が、全体として、パッシブマトリクス型構造を有する液晶表示領域Ａを構成することになる。
ただし、用途に応じて、パッシブマトリクス型構造のかわりに、アクティブマトリクス型構造を採ることも好ましい。すなわち、非線形素子として、図２に回路例を示すＴＦＤ（Thin Film Diode）や、図３に回路例を示すＴＦＴ（Thin Film Transistor）等のアクティブ素子（能動素子）を用いた液晶パネル２００であることも好ましい。
【００３７】
また、図１に示すように、対向基板１１０における第２基板５５には、第１基板４３よりも外側に張り出してなる基板張出部１１０Ｔを設けることが好ましい。この基板張出部１１０Ｔ上には、配線１１８Ａ、配線１２８に対して、シール材５９の一部で構成される上下導通部を介して導電接続された配線１１８Ｂ、および、独立して形成された複数の配線パターンからなる入力端子部１１９が形成してある。そして、この基板張出部１１０Ｔ上には、これら配線１１８Ａ、１１８Ｂおよび入力端子部１１９に対して導電接続されるように、液晶駆動回路等を内蔵した半導体素子（ＩＣチップ）１６１が実装されており、さらに、基板張出部１１０Ｔの端部には、入力端子部１１９に導電接続されるように、フレキシブル配線基板１６３が実装されている。
したがって、液晶表示領域Ａの動作を、液晶パネル２００の外部から制御することが可能になる。
なお、液晶パネル２００の外部から制御するにあたり、第２表示部において背面表示する際には、第１表示部に印加する電圧を、第１表示部の駆動電圧よりも低い電圧とすることにより、全体として、消費電力を抑えることができる。
【００３８】
次いで、図４を参照して、液晶パネル２００を備えた折り畳み式携帯電話の第１表示部１６における動作モードをより具体的に説明する。
図４は、折り畳み式携帯電話の第１部材（蓋側部材）と、第２部材（操作側部材）とを開いた状態での第１部材（蓋側部材）１２における部分断面図であるが、説明の便宜上、蓋側部材１２の右側に、第２表示部１８を配置して示してあり、左側に、第１表示部１６を配置して示してある。
また、第１表示部１６は、下方から第１表示部用光源（第１の光源）６４と、反射板６３付きの導光板６２と、偏光板（下側偏光板）５８´と、λ／４板５７´と、第２基板（下基板）５５と、半透過反射板（第１の反射膜）５４を含む透明電極（下側電極）５２と、配向膜（下側配向膜）５０と、液晶４９と、配向膜（上側配向膜）４８と、透明電極（上側電極）５１と、保護膜４６と、カラーフィルタ４５と、第１基板（上基板）４３と、前方散乱板５６´と、位相差板４２´と、偏光板（上側偏光板）４１´と、を順次に積層し、構成してある。
【００３９】
したがって、蓋側部材１２を開くことにより、第１表示部１６の表示面（以下、主表示面と称する場合がある。）１６Ａにおいて、蓋側部材１２に設けてある第１表示部用光源６４から、導光板６２を介して照射される光によってカラー表示を行う透過モード（Ｘ１）と、表示面１６Ａが設けてある側から、外光を入射させてカラー表示を行う反射モード（Ｙ１）とにより、それぞれ所定のカラー画像情報を表示することが可能である。
すなわち、透過モード（Ｘ１）の場合には、蓋側部材１２を開いた状態で、第１表示部用光源６４、例えば、エレクトロルミネッセンス素子や発光ダイオードを点灯させる。それにより、反射部６３および導光板６２が相俟って、第１表示部用光源６４からの所定輝度の光を上方に出射させ、下側偏光板５８´と、λ／４板５７´を介して、円偏光として、第１および第２基板４３、５５と、保護膜４６と、透明電極５１、５２と、配向膜４８、５０と、液晶４９と、から構成された液晶パネル２００に入射する。次いで、この液晶パネル２００を通過した光は、さらに、前方散乱板５６´と、位相差板４２´と、上側偏光板４１´と、によって、所定輝度を有する直線偏光とされた光のみが透過し、鮮明なカラー画像情報として、観察者に認識されることになる。
【００４０】
一方、反射モード（Ｙ１）の場合には、外光を、第１および第２基板４３、５５と、保護膜４６と、透明電極５１、５２と、配向膜４８、５０と、液晶４９と、から構成された液晶パネルに入射させるとともに、半透過反射板５４の光反射（図示せず。）によって反射させる。次いで、反射された外光は、再び、液晶パネルを通過して、カラー画像情報として、観察者に認識されることになる。
なお、図４に示す液晶パネル２００を備えた折り畳み式携帯電話の例では、第１表示部１６の上方の第１基板（上基板）４３に接して、カラーフィルタ４５が設けてあるため、透過モード（Ｘ１）において、画像情報としては、カラー画像を認識することができる。
【００４１】
次いで、同様に図４を参照しながら、液晶パネル２００を備えた折り畳み式携帯電話の第２表示部１８における動作モードを具体的に説明する。
図４は、上述したように、開いた状態における蓋側部材１２の部分断面図であるが、蓋側部材１２の右側に、第２表示部１８をそれぞれ配置して示してある。
ここで、第２表示部１８は、下方から偏光板（下側偏光板）５８と、位相差板５７と、前方散乱板５６と、第２基板（下基板）５５と、透明電極（下側電極）５２と、配向膜（下側配向膜）５０と、液晶４９と、配向膜（上側配向膜）４８と、透明電極（上側電極）５１と、保護膜４６と、カラーフィルタ４５と、半透過反射板（第２の反射膜）４４と、第２の基板（上基板）４３と、λ／４板４２と、偏光板（上側偏光板）４１と、第２表示部用光源４０と、から構成してある。
【００４２】
したがって、かかる第２表示部１８によれば、蓋側部材１２に設けた第２表示部用光源４０からの光を利用した表示を行う透過モード（Ｘ２）と、主表示面１６Ａが設けてある側とは反対側から入射させた外光を利用した表示を行う反射モード（Ｙ２）とにより、それぞれカラー表示をすることが可能である。
すなわち、透過モード（Ｘ２）の場合には、蓋側部材（第１部材）１２の所定箇所に設けた第２表示部用光源４０、例えば、エレクトロルミネッセンス素子や発光ダイオードを点灯させ、所定輝度の光を出射させる。その光を、上側偏光板４１およびλ／４板４２を介して、半透過反射板４４の光透過部４４ａと、カラーフィルタ４５と、第１および第２基板４３、５５と、保護膜４６と、透明電極５１、５２と、配向膜４８、５０と、液晶４９と、から構成された液晶パネルに入射させる。
次いで、液晶パネルを通過した光は、さらに、下側偏光板５８と、位相差板５７によって、所定の光軸を有する光のみが透過し、カラー画像情報として、観察者に認識されることになる。その際、フロントライト方式と異なり、表示面（以下、背面表示面と称する場合がある。）１８Ａには、第１表示部用光源６４が存在しない一方、専用光源がバックライト方式として存在するために、透過モード（Ｘ２）において、鮮明なカラー画像情報を認識することができる。
【００４３】
一方、反射モード（Ｙ２）の場合には、外光を、第１および第２基板４３、５５と、保護膜４６と、透明電極５１、５２と、配向膜４８、５０と、液晶４９と、から構成された液晶パネルに入射させるとともに、カラーフィルタ４５を介して、半透過反射板４４の光反射部４４によって反射させる。
次いで、反射された外光は、再び、液晶パネル内を通過して、カラー画像情報として、観察者に認識されることになる。その際、フロントライト方式と異なり、背面表示面１８Ａには、第１表示部用光源６４が存在しない一方、専用光源がバックライト方式として存在するために、反射モード（Ｙ２）においても、鮮明なカラー画像情報を認識することができる。
【００４４】
次いで、図５〜図８を参照して、第２表示部１８に使用される第２表示部用光源４０について、より詳細に説明する。
まず、図５（ａ）に示す第２表示部用光源４０は、第１表示部用光源６４(図示せず)とは独立して設けられており、その構成は特に制限されるものではないが、典型的には、エレクトロルミネッセンス素子や発光ダイオードであることが好ましい。
また、図５（ａ）に示すように、電気光学装置としての液晶パネル２００を含む折り畳み式携帯電話１０は、第１表示部１６および第２表示部１８を含む蓋側部材（第１部材）１２を備えており、第２表示部用光源４０は、蓋側部材１２の外表面に設けてあることが好ましい。この理由は、かかる箇所に第２表示部用光源が設けてあることから、背面表示の際に、フロントライト方式ではなく、バックライト方式を容易に採用することができるためである。したがって、背面表示の際の、第１表示部用光源の影響を排除して、鮮明な画像を認識することができる。
この場合、図５（ａ）に示すように、第２表示部用光源４０が、操作側部材１４に向かって突出する場合がある。そこで、図５（ｂ）に示すように、折り畳み式携帯電話１０を折り畳んだ場合においても、第２表示部用光源４０が、邪魔にならずに確実に閉じるように、操作側部材１４に、第２表示部用光源４０の一部を収容するための凹部２８を設けることが好ましい。
なお、図４は、第２表示部用光源４０が蓋側部材１２の内面に設けてある場合の折り畳み式携帯電話１０の透過モード（Ｘ２）によるカラー画像を認識するための発光状態と、外光を利用した反射モード（Ｙ２）によるカラー画像を認識するための発光状態とを示す。
【００４５】
また、図６および図７に示すように、操作側部材１４の一部に、第２表示部用光源４０が設けてあることも好ましい。図６は、第２表示部用光源４０が蓋側部材１２の外表面に位置する場合の折り畳み式携帯電話１０の透過モード（Ｘ２）によるカラー画像を認識するための発光状態と、外光を利用した反射モード（Ｙ２）によるカラー画像を認識するための発光状態とを示している。また、図７（ａ）は、折り畳み式携帯電話１０の蓋側部材１２を開いた状態を示しており、図７（ｂ）は、折り畳み式携帯電話１０の蓋側部材１２を閉めた状態を示している。
【００４６】
すなわち、図７に示すように、第２表示部１８の反対側には、第２表示部用光源４０からの光を入射させるための光取出口１５が設けてある。そして、操作側部材（第２部材）１４には、筐体３４に、キー操作部３０と、第２表示部用光源４０と、を備えて構成されている。したがって、図７（ａ）に示すように、蓋側部材（第１部材）１２を開くと、第１表示部１６の表示面１６Ａが露出し、かかる表示面１６Ａを認識することができる。
一方、図７（ｂ）に示すように、蓋側部材１２を閉めると、第２表示部１８の表示面１８Ａを認識することができる。その際、第２表示部１８の反対側に設けてある第２表示部用光源４０からの光が、光取出口１５を介して、第２表示部１８に入射する。したがって、図６に示すように、折り畳み式携帯電話１０を折り畳んだ場合、第２表示部１８の表示面１８Ａにおいて、第２表示部用光源４０からの光を利用して、透過モード（Ｘ２）により、鮮明なカラー画像情報を認識することができる。
また、操作パネルの各キーボタンの下方や側方、さらには、各キーボタン自体を発光させることにより、光源や操作パネルにおける各キーボタンの配置等に対する制限を少なくすることができる。すなわち、操作側部材１４に操作パネル３０が設けてあり、当該操作パネル３０の一部または近接箇所に、第２表示部用光源４０が設けてあることがより好ましい。
なお、図７に示す折り畳み式携帯電話１０の例では、図７（ａ）に示すように、操作パネル３０の近接箇所に設けてある大面積のキーボタンが、第２表示部用光源４０を兼ねている。
【００４７】
また、図８（ａ）に示すように、第２表示部用光源４０の変形例として、バックライト４０を備えた操作パネル付き電気光学素子２４の一部とすることも好ましい。
この理由は、このように構成することにより、電気光学装置のサイズを過度に大きくすることなく、蓋側部材に設けてある電気光学素子（第１の液晶パネルと称する場合がある。）と相俟って、第２表示部用光源を兼ねた電気光学素子（第２の液晶パネルと称する場合がある。）により、いわゆる２層パネルを構成することができるためである。
したがって、図８（ｂ）に示すように、折り畳み式携帯電話１０において、主表示面を有する蓋側部材１２に設けてある液晶パネル２００のほかに、操作側部材（第２部材）１４に、バックライト４０を備えるとともに操作パネル付き電気光学パネル２４として用いることのできる第２表示部用光源４０を設けることにより、折り畳んだ際に、第２表示部１８における表示面１８Ａでの表示容量を飛躍的に大きくすることができる。
【００４８】
次いで、図９〜図１１を参照して、液晶パネル２００を備えた折り畳み式携帯電話の変形例を具体的に説明する。
まず、図９は、第１表示部１６における第１基板４３の一部に第２の反射膜４４´を設けた電気光学装置を示している。より具体的には、第１表示部１６における第２の反射膜４４´を鉛直方向に透視した場合に、当該第２の反射膜４４´と、第１基板４３にカラーフィルタ４５等を介して設けた透明電極５１とが、実質的に重なっていないことを示している。
したがって、第２の反射膜４４´により遮光膜の役目をはたすため、第１表示部１６におけるカラー表示画像のコントラストを向上させることができる。
また、図９は、第１表示部１６における第１の反射膜５４が、透明電極５２に上下方向から挟まれ、透明電極５２の一部を構成することを示している。すなわち、このように構成することにより、電気光学装置の小型化、簡素化を図ることができるとともに、製造コストを著しく低下させることができる。
また、図９に示すように、第１表示部１６における第１の反射膜５４を、透明電極５２に接して設けることにより、透明電極５２を含む電気抵抗を低下させることができる。したがって、透明電極５２における発熱や消費電力を抑制することができる。
さらに、図９に示す第１表示部１６における第１の反射膜５４の場合、それを銀合金から構成し、透明電極５２を、酸化インジウムスズ化合物（ＩＴＯ）から構成することが好ましい。この理由は、このように構成することにより、画面表示が明るくなるばかりか、透明電極５２の接触抵抗を効果的に低下させることができるためである。また、酸化インジウムスズ化合物（ＩＴＯ）を、シュウ酸等のエッチング液を用いてエッチングする際に、第１の反射膜５４が銀合金から構成してあれば、ＩＴＯのエッチング液によって腐食されるおそれが少なくなるためである。
なお、参考のため、図９においても、第１表示部１６における折り畳み式携帯電話の透過モード（Ｘ１）によるカラー画像を認識するための発光状態と、外光を利用した反射モード（Ｙ１）によるカラー画像を認識するための発光状態とを示している。
【００４９】
次いで、図１０は、第２表示部１８の裏側に設けてある光取出口１５を利用して、第２表示部１８における背面表示面１８Ａの外部の様子が認識できる電気光学装置における蓋側部材１２を示している。
すなわち、図１０は、電気光学装置の第１部材（蓋側部材）と、第２部材（操作側部材）とが開いた状態における蓋側部材１２の部分断面図であって、第２表示部１８は、下方から偏光板（下側偏光板）５８と、位相差板５７と、前方散乱板５６と、第２基板（下基板）５５と、透明電極（下側電極）５２と、配向膜（下側配向膜）５０と、液晶４９と、配向膜（上側配向膜）４８と、透明電極（上側電極）５１と、保護膜４６と、カラーフィルタ４５と、半透過反射板（第２の反射膜）４４と、第１の基板（上基板）４３と、λ／４板４２と、偏光板（上側偏光板）４１と、から構成してある電気光学装置における蓋側部材１２を示している。
したがって、かかる第２表示部１８によれば、背面表示面１８Ａの側から入射した外光を利用して、透過モード（Ｘ３）により背面表示面１８Ａの側を認識することができる。
よって、光取出部１５を介して、透視することもできるため、例えば、カメラ機能等を備えた携帯電話を使用する際に、被写体を確認しながら、撮影することも可能となる。
【００５０】
次いで、図１１は、第２表示部１８における透明電極５２の一部に第２の反射膜６１を設けた電気光学装置を示している。より具体的には、透明電極５２の上方であって、鉛直方向に透視した場合に、第２の反射膜６１と、第１基板４３に設けた透明電極５１とが、実質的に重なっていないような位置に、第２の反射膜６１を設けたことを示している。
したがって、かかる第２の反射膜６１により遮光膜の役目をはたすため、隣接するカラーフィルタ４５の各着色層での混色を防止して、第２表示部１８におけるカラー表示画像のコントラストを向上させることができる。
また、かかる第２の反射膜６１は、第１表示部１６における第１の反射膜５４と同様の材料、例えば、銀合金を用いて、同時に形成することが好ましい。この理由は、このように形成することにより、別途形成する場合と比較して、製造コストを著しく低下することができるためである。
また、かかる遮光部６１についても、透明電極５２の一部としてまたは接して構成することにより、電気光学装置の小型化、簡素化を図ることができるとともに、透明電極５２を含む電気抵抗を低下させることができる。したがって、透明電極５２における発熱や消費電力を効果的に抑制することができる。
なお、参考のため、図１１においても、第２表示部１８における透過モード（Ｘ２）によるカラー画像を認識するための発光状態と、外光を利用した反射モード（Ｙ２）によるカラー画像を認識するための発光状態とを示している。
【００５１】
次いで、図１２を参照して、第１表示部１６および第２表示部１８における、第１の反射膜５４と、透明電極（下側電極）５２と、透明電極（上側電極）５１と、第２の反射膜４４等との関係を説明する。
図１２（ａ）は、第１表示部１６における、第１の反射膜５４と、透明電極（下側電極）５２等との関係を示す模式的な部分平面図であり、図１２（ｂ）は、第２表示部１８における、第２の反射膜４４と、透明電極（上側電極）５１等との関係を示す模式的な部分平面図である。
すなわち、図１２（ａ）に示すように、第１表示部１６においては、第２の基板（図示せず）上に透明電極（下側電極）５２、第１の反射膜５４と、透明電極（下側電極）５２がこの順に積層されており、第１の基板（図示せず）上に透明電極（上側電極）５１が形成されている。そのうち、上下方向からストライプ状の透明電極（下側電極）５２が挟み込んだ状態で、ストライプ状の反射膜５４が形成されている。また、透明電極（下側電極）５２と直交する方向に、ストライプ状の透明電極（上側電極）５１が形成されていることを示している。
したがって、第１表示部１６における表示面１６Ａは、図４に示すように、第１表示部用光源６４からの光によってカラー表示を行う透過モード（Ｘ１）と、外光を入射させてカラー表示を行う反射モード（Ｙ１）とにより、それぞれ鮮明なカラー表示をすることが可能である。
また、図１２（ｂ）に示すように、第２表示部１８においては、第２の基板（図示せず）上に、ストライプ状の透明電極（下側電極）５２が形成されている。また、第１の基板（図示せず）上に半透過反射部を有する第２の反射膜４４と、透明電極（下側電極）５２と直交する方向に透明電極（上側電極）５１が積層されていることを示している。
したがって、第２表示部１８は、図４に示すように、第２表示部用光源４０からの光によって、カラー表示を行う透過モード（Ｘ２）と、外光を入射させてカラー表示を行う反射モード（Ｙ２）とにより、それぞれカラー表示をすることが可能である。
【００５２】
［第２実施形態］
第２実施形態は、第１実施形態の電気光学装置を用いた電子機器である。
【００５３】
（１）電子機器の概要
図１３は、本実施形態の電子機器の全体構成を示す概略構成図である。この電子機器は、第１実施形態の電気光学装置としての液晶パネル２００と、これを制御するための制御手段１２００とを有して構成されている。また、図１３中では、液晶パネル２００を、パネル構造体２００Ａと、半導体素子（ＩＣチップ）等で構成される駆動回路２００Ｂと、に概念的に分けて描いてある。また、制御手段１２００は、表示情報出力源１２１０と、表示処理回路１２２０と、電源回路１２３０と、タイミングジェネレータ１２４０とを有することが好ましい。
また、表示情報出力源１２１０は、ＲＯＭ（Read Only Memory）やＲＡＭ（Random Acc
ess Memory）等からなるメモリと、磁気記録ディスクや光記録ディスク等からなるストレージユニットと、デジタル画像信号を同調出力する同調回路とを備え、タイミングジェネレータ１２４０によって生成された各種のクロック信号に基づいて、所定フォーマットの画像信号等の形で表示情報を表示情報処理回路１２２０に供給するように構成されていることが好ましい。
また、表示情報処理回路１２２０は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路２００Ｂへ供給することが好ましい。そして、駆動回路２００Ｂは、走査線駆動回路、データ線駆動回路および検査回路を含むことが好ましい。また、電源回路１２３０は、上述の各構成要素にそれぞれ所定の電圧を供給する機能を有している。
【００５４】
（２）モバイル型コンピュータ
また、本発明に係る第１実施形態の電気光学装置（液晶表示装置）を、モバイル型のパーソナルコンピュータ（いわゆる携帯型パーソナルコンピュータ）の表示部に適用した電子機器例について説明する。
図１４（ａ）および（ｂ）は、それぞれ本発明の電子機器の一例としてのパーソナルコンピュータ１７０の構成を裏表から示す斜視図である。かかる図１４（ａ）に示すように、パーソナルコンピュータ１７０は、キーボード９０を備えた第２部材（本体部）１４と、第１表示部１６および第２表示部１８を備えた電気光学素子２００を用いた第１部材（蓋側部材）１２と、を備えている。かかる第１部材１２は、筐体２２によって、電気光学素子（液晶パネル）２００が収容された構成となっている。一方、図１４（ｂ）に示すように、第２表示部１８における表示面１８Ａがパーソナルコンピュータ１７０の背面側に設けられていることが好ましい。
そして、電気光学素子２００の第１部材１２において、主表示面１６Ａの反対側に、第１表示部用光源（図示せず。）を設け、かつ、第２部材１４には、第２表示部用光源４０を設けることにより、複数の画像表示部における画像の明るさを確保するとともに、背面表示情報の認識を妨げることがなくなるために、優れたコントラストや画像視覚性を有する両面表示方式のパーソナルコンピュータを効率的に提供することができる。
【００５５】
（３）他の電子機器
第１実施形態の電気光学装置（液晶表示装置）を適用した電子機器としては、図５に示した携帯電話機や、図１４に示したパーソナルコンピュータのほかにも、液晶テレビ、ビューファインダ型・モニタ直視型のビデオテープレコーダ、カーナビゲーション装置、ページャ、電気泳動装置、電子手帳、電卓、ワードプロセッサ、ワークステーション、テレビ電話、ＰＯＳ端末、タッチパネルを備えた電子機器などが挙げられる。
【００５６】
さらに、本発明の電気光学装置および電子機器は、上述の図示例にのみ限定されるものではなく、本発明の要旨を逸脱しない範囲内において種々変更を加え得ることは勿論である。例えば、上記各実施形態に示す液晶パネルは単純マトリクス型の構造を備えているが、ＴＦＴ（薄膜トランジスタ）やＴＦＤ（薄膜ダイオード）等のアクティブ素子（能動素子）を用いたアクティブマトリクス方式の電気光学装置にも適用することができる。
また、上記実施形態の液晶パネルは所謂ＣＯＧタイプの構造を有しているが、ＩＣチップを直接実装する構造ではない液晶パネル、例えば液晶パネルにフレキシブル配線基板やＴＡＢ基板を接続するように構成されたものであっても構わない。
【産業上の利用可能性】
【００５７】
以上説明したように、本発明の電気光学装置およびそれを用いた電子機器によれば、半透過反射表示可能な第１表示部および第２表示部をそれぞれ備えるとともに、特定箇所にカラーフィルタを配置して、安価で、製造容易な電気光学装置、電気光学装置用基板およびそれを用いた電子機器を提供することが可能となった。
また、本発明の電気光学装置、電気光学装置用基板およびそれを用いた電子機器によれば、第１表示部用駆動回路と、第２表示部用駆動回路と、を別個独立に備える必要がなくなり、電気光学装置のコストダウンや省スペース化にも寄与することができる。
【図面の簡単な説明】
【００５８】
【図１】本発明の電気光学装置としての液晶パネルの斜視図である。
【図２】本発明の電気光学装置としての液晶パネルに用いられるＴＦＤ素子を説明するために供する図である。
【図３】本発明の電気光学装置としての液晶パネルに用いられるＴＦＴ素子を説明するために供する図である。
【図４】本発明の電気光学装置としての液晶パネルを備えた折り畳み式携帯電話の蓋側部材と、操作側部材とを開いた状態での蓋側部材における部分断面図である。
【図５】（ａ）〜（ｂ）は、本発明の電気光学装置としての液晶パネルを備えた折り畳み式携帯電話の斜視図である。
【図６】本発明の電気光学装置としての液晶パネルを備えた折り畳み式携帯電話の蓋側部材と、操作側部材とを閉じた状態での部分断面図である。
【図７】（ａ）〜（ｂ）は、本発明の電気光学装置としての液晶パネルを備えた別の折り畳み式携帯電話の斜視図である。
【図８】（ａ）〜（ｂ）は、本発明の電気光学装置としての液晶パネルを備えたさらに別の折り畳み式携帯電話の斜視図である。
【図９】第１表示部に遮光部材を有するカラーフィルタ基板を説明するために供する蓋側部材における部分断面図である。
【図１０】第２表示部に遮光部材を有するカラーフィルタ基板を説明するために供する蓋側部材における部分断面図である。
【図１１】第２表示部に遮光部材を有する対向基板を説明するために供する蓋側部材における部分断面図である。
【図１２】（ａ）〜（ｂ）は、第１表示部および第２表示部における電極構造を説明するために供する蓋側部材における部分断面図である。
【図１３】本発明に係る電子機器の実施形態における構成ブロックを示す概略構成図である。
【図１４】（ａ）〜（ｂ）は、本発明に係る電子機器例としてのパーソナルコンピュータを説明するために供する斜視図である。
【図１５】従来の両面表示方式の液晶パネルの構造を模式的に示す断面図である（その１）。
【図１６】従来の両面表示方式の液晶パネルの構造を模式的に示す断面図である（その２）。
【符号の説明】
【００５９】
１０：携帯電話機、１２：第１部材、１３：貫通部、１４：第２部材、１５：光取出口、１６：第１表示部、１６Ａ：表示面（主表示面）、１８：第２表示部、１８Ａ：表示面（背面表示面）、４０：第２表示部用光源、４１・４１´：偏光板、４２：位相差板、４２´：λ／４板、４３：第１基板（上基板）、４４：第１の反射膜、４５：カラーフィルタ、５１：透明電極（上側電極）、４９：電気光学材料、５２：透明電極（下側電極）、５４：第２の反射膜、５５：第２基板（下基板）、５６・５６´：前方散乱膜、５７・５７´：位相差板、５８・５８´：偏光板、６４：第１表示部用光源、１００：カラーフィルタ基板、１１０：対向基板、１７０：パーソナルコンピュータ、２００：電気光学装置（液晶パネル）
【図１】
2005107242.tif 000003
【図２】
2005107242.tif 000004
【図３】
2005107242.tif 000005
【図４】
2005107242.tif 000006
【図５】
2005107242.tif 000007
【図６】
2005107242.tif 000008
【図７】
2005107242.tif 000009
【図８】
2005107242.tif 000010
【図９】
2005107242.tif 000011
【図１０】
2005107242.tif 000012
【図１１】
2005107242.tif 000013
【図１２】
2005107242.tif 000014
【図１３】
2005107242.tif 000015
【図１４】
2005107242.tif 000016
【図１５】
2005107242.tif 000017
【図１６】
2005107242.tif 000018